(57)【特許請求の範囲】
【請求項１】
バストを被覆するカップ部を有する衣類であって、
一対のカップ部と、
前記一対のカップ部にそれぞれ接続する一対の肩ストラップ部と、
前記一対のカップ部の上縁に沿って左右方向に連続して設けられ、前記一対の肩ストラップ部にそれぞれ接続し、前記カップ部の上側のバストに沿わせて左右方向に伸縮性を有する上バスト被覆部と
を備え、
前記上バスト被覆部は、伸びて縮み、着用者のバストの揺れまたはバストの皮膚の伸びに追従し、
着用時の前記上バスト被覆部の上縁の長さは、平置き時の前記上バスト被覆部の上縁の長さと比べて、１．２〜１．８倍に伸びるように形成され、
前記上バスト被覆部の左右方向の伸び率は、２００％から２５０％である
ことを特徴とするカップ部を有する衣類。
【請求項２】
前記上バスト被覆部は、前記カップ部の上側のバストに沿わせてバストを体の中心に向かう方向に押圧可能な伸縮部材で形成される
ことを特徴とする請求項１に記載のカップ部を有する衣類。
【請求項３】
前記上バスト被覆部は、前記肩ストラップ部の支持により、左右方向に伸長してその回復力により、前記バストを体の中心に向かう方向に押圧する
ことを特徴とする請求項１または２に記載のカップ部を有する衣類。
【請求項４】
前記上バスト被覆部の左右方向の伸縮率は、上下方向の伸縮率に比べて高い
ことを特徴とする請求項１ないし３のいずれか１項に記載のカップ部を有する衣類。
【請求項５】
前記上バスト被覆部の上縁は、バストトップ位置より上方に形成される
ことを特徴とする請求項１ないし４のいずれか１項に記載のカップ部を有する衣類。
【請求項６】
前記肩ストラップ部は、前記上バスト被覆部の上縁と前記カップ部の上縁で、それぞれ固着し、前記肩ストラップ部の２つの固着部分の間は、前記上バスト被覆部に固着しない
ことを特徴とする請求項１ないし５のいずれか１項に記載のカップ部を有する衣類。
【請求項７】
前記一対のカップ部にそれぞれ接続するバック部を備え、
前記バック部は、
着用者に押圧して装着可能で、緊締力を有する部材で形成されるバック下部と、
前記バック下部の上縁に接続し、前記着用者の動きに追従しやすい伸縮部材で形成されるバック上部
を備えることを特徴とする請求項１ないし６のいずれか１項に記載のカップ部を有する衣類。
【発明の詳細な説明】
【技術分野】
【０００１】
本発明は、バストを被覆するカップ部を有する衣類に関する。
【背景技術】
【０００２】
一般的に、バストを美しく造形する効果を有するブラジャーが普及している。高い造形性を実現するために、ワイヤーでバストを支えるワイヤー入りブラジャー、３／４カップ、１／２カップブラジャーなど、様々なブラジャーが普及している。【０００３】
また、着用者の動きに適応し、スポーツ時の着用に好適なスポーツ用ブラジャーも普及している。スポーツ用ブラジャーは、動きやすい効果のみならず、バストの揺れを抑制し、着用者の動きによっても着崩れしにくい効果が期待される。このためスポーツ用ブラジャーは、バストを押さえつける構造を有するものが多い（例えば、特許文献１参照。）。
【先行技術文献】
【特許文献】
【０００４】
【特許文献１】特開２００６−１０４６１３号公報
【発明の概要】
【発明が解決しようとする課題】
【０００５】
一般的なブラジャーは、造形性が高いものの、バストの揺れに対応しづらい場合がある。特に、一般的なブラジャーは、スポーツ用のブラジャーに比べて、バストを押さえつけたり、揺れを軽減したりする機能が弱く、スポーツ時の着用には向かない。【０００６】
従って着用者は、日常シーンでは造形性の高いブラジャーを着用し、スポーツ時にはスポーツ用ブラジャーを着用する場合がある。着用者は、スポーツクラブへの移動に一般的なブラジャーを着用し、スポーツクラブ内でスポーツ用ブラジャーを着用するなど、一般的なブラジャーとスポーツ用ブラジャーを、シーンを分けて着用する場合がある。特に、気軽にスポーツを楽しむことのできる、ウォーキング等の軽スポーツが普及しているものの、軽スポーツ時においてもスポーツ用ブラジャーに着替える必要が生じ、着用者が不便に感じる場合がある。【０００７】
また、造形性の高いブラジャーは、一般的に着用者のサイズに敏感で、許容範囲が狭い場合がある。【０００８】
そこで、日常生活にも軽スポーツにも対応できるように、一般的なブラジャーに、バストの揺れを抑制する機能を備え、着用者のサイズの許容範囲の大きいブラジャーの開発が期待されている。【０００９】
従って本発明の目的は、造形性を保ちながらバストの揺れを抑制し、着用者によるサイズの差も許容するカップ部を有する衣類を提供することである。
【課題を解決するための手段】
【００１０】
上記課題を解決するために、本発明の特徴は、バストを被覆するカップ部を有する衣類に関する。本発明の特徴に係るカップ部を有する衣類は、一対のカップ部と、一対のカップ部にそれぞれ接続する一対の肩ストラップ部と、一対のカップ部の上縁に沿って左右方向に連続して設けられ、一対の肩ストラップ部にそれぞれ接続し、カップ部の上側のバストに沿わせて左右方向に伸縮性を有する上バスト被覆部を備える。
【発明の効果】
【００１１】
本発明によれば、造形性を保ちながらバストの揺れを抑制し、着用者によるサイズの差も許容するカップ部を有する衣類を提供することができる。
【図面の簡単な説明】
【００１２】
【図１】本発明の実施の形態に係るブラジャーを着用者が着用した斜視図である。
【図２】本発明の実施の形態に係るブラジャーを着用者が着用した正面図である。
【図３】本発明の実施の形態に係るブラジャーを平置きした図である。
【図４】本発明の実施の形態に係るブラジャーの上バスト被覆部の着用状態を説明する図である。
【図５】本発明の実施の形態に係るブラジャーの上バスト被覆部の型紙と着用状態を比較して説明する図である。
【図６】第１の変形例に係るブラジャーを着用者が着用した正面図である。
【図７】第２の変形例に係るブラジャーを着用者が着用した正面図である。
【発明を実施するための形態】
【００１３】
次に、図面を参照して、本発明の実施の形態を説明する。以下の図面の記載において、同一または類似の部分には同一または類似の符号を付している。
【００１４】
（実施の形態）
本発明の実施の形態において、バストを被覆するカップ部を有する衣類の一例であるブラジャー１を説明する。図１および図２に示すように、ブラジャー１は、カップ部２、上バスト被覆部３、肩ストラップ部４およびバック部５を備える。
【００１５】
カップ部２は、それぞれ左右のバストを立体的に被覆する一対の釣鐘形状により、バストの造形性および保形性を担保するように形成される。本発明の実施の形態においてカップ部２は、バージスラインにワイヤーを設けず、カップ部および土台部が一体形成されたモールド成型部材からなる。カップ部２のモールド成形部材成型部材は、その厚みが、土台部＜上カップ部＜下カップ部となるように成型されることにより、高い造形性を担保するように形成される。
【００１６】
本発明の実施の形態に係るカップ部２は、ノンワイヤーでモールド成型部材からなる場合を説明するが、造形性を担保できれば、これに限られない。バージスラインをワイヤーで支えるタイプや、ノンワイヤータイプなどの、カップ部２の構成を問わない。また、フルカップ、３／４カップなどの、カップ部２の形状も問わない。
【００１７】
上バスト被覆部３は、カップ部２の上側のバストを覆い、バストの揺れやバストの皮膚の伸びに追従可能な伸縮素材で形成される。上バスト被覆部３は、着用者の体の幅やバストのボリュームにあわせて、左右方向に伸長して、着用者のバストにフィットする。
【００１８】
肩ストラップ部４は、一対のカップ部にそれぞれ接続する一対の肩ストラップで構成される。肩ストラップ部４は、カップ部２の上辺から肩の稜線を経由して、バック部５に接続する。肩ストラップ部４は、カップ部２を引き上げるために、伸縮性ないし難伸縮素材で形成される。なお、肩ストラップ部４は、一部に非伸縮性素材を含んでいても全体として伸縮性もしくは難伸縮性を有するように形成されていればよい。また肩ストラップ部４は、カップ部２を肩の稜線から持ち上げることを可能とする長さになるように、エイト鐶などにより調節可能に形成される。
【００１９】
バック部５は、一対の帯状部材で形成される。帯状部材の一端は、一対のカップ部２にそれぞれ接続し、他端は、ホックなどの係止部（図示せず）を設け、背中心近辺で着脱可能な構成とされる。
【００２０】
本発明の実施の形態においてバック部５は、一対の帯状部材が背中心で着脱可能な構成をとる場合を説明するがこれに限られない。バック部５は、係止部を備えず、一つの帯状部材で形成され、各端がカップ部２に接続しても良い。
【００２１】
（肩ストラップ部）
本発明の実施の形態に係る肩ストラップ部４は、肩ストラップ本体部４１と、肩ストラップ上接続部４２と、肩ストラップ下接続部４３と、肩ストラップ連結部４４を備える。肩ストラップ上接続部４２は、上バスト被覆部３の上縁３１と固着する。肩ストラップ下接続部４３は、カップ部２の上縁２１と固着する。肩ストラップ連結部４４は、肩ストラップ上接続部４２および肩ストラップ下接続部４３の２つの固着部分の間に形成される。
【００２２】
肩ストラップ部４は、上バスト被覆部３の上縁３１とカップ部２の上縁２１が、それぞれ肩ストラップ上接続部４２と肩ストラップ下接続部４３と固着し、肩ストラップ連結部４４は、上バスト被覆部３に固着しない。これにより、肩ストラップ部４は、肩ストラップ上接続部４２で、上バスト被覆部３を左右方向に引き延ばして支持するとともに、肩ストラップ下接続部４３で、上バスト被覆部３の伸縮と非同期にカップ部２を引き上げることを可能にする。
【００２３】
（上バスト被覆部）
上バスト被覆部３は、一対のカップ部２の上縁２１に沿って左右方向に連続して設けられ、一対の肩ストラップ部４の肩ストラップ上接続部４２にそれぞれ接続する。上バスト被覆部３は、左右のカップ部２を接続するように、カップ部２の上側に設けられる。
【００２４】
上バスト被覆部３は、伸縮部材で形成されるので、カップ部２の上側のバストに沿わせてバストを体の中心に向かう方向に押圧して、立体的なバストにフィットする形状を形成する。本発明の実施の形態において「体の中心に向かう方向」は、バスト近辺において、後ろ斜め下方に向かう方向を示す。具体的には、上バスト被覆部３は、バストの上側を前方斜め上方向から後ろ斜め下方向に向かう方向に押下して、バストを体に密着させる。
【００２５】
上バスト被覆部３は、肩ストラップ部４の支持により、左右方向に伸長してその回復力により、バストを体の中心に向かう方向に押圧する。上バスト被覆部３は、着用者の静止時において、着用者の様々な体型にフィットするとともに、着用者の動作時において、素材の伸縮によりバストの揺れを吸収し着崩れを防ぐことができる。ここで上バスト被覆部３は、左右のバストのふくらみに接すればよく、正中線近辺では、体から浮いていても良い。また上バスト被覆部３の下縁３２は、カップ部２の上方のバストをサポートするので、カップ部２により生まれた造形性を、維持することができる。
【００２６】
上バスト被覆部３は、高い伸縮性を有する部材で形成される。上バスト被覆部３は、パワーネット、トリコット等の着用者のサイズや動きに追従するように、滑らかに伸びて縮む素材で形成されることが好ましい。伸びにくい素材や縮みやすい素材は、着用者に窮屈さを与え、サイズや動きに追従しづらい場合がある。従って、上バスト被覆部３を高い伸縮性を有する部材で形成することにより、着用感や動きやすさを向上するとともに、バストの揺れにフィットすることができる。
【００２７】
上バスト被覆部３の素材として、バストの揺れを抑制するとともに、着用者のバストの形状に馴染むことのできる素材がよく、例えば伸長回復性が５５ｃＮから８０ｃＮ程度の素材が好適である。なお、伸長回復性が大きすぎる場合、着用者のバストの形状に馴染まず、伸長回復性が小さすぎる場合、押さえる力が弱いので、揺れを抑制する効果が少ない。伸長回復性は、試験片を定速伸長形引張試験機に取り付け、３００ｍｍ／分程度の速度で伸長回復を複数回繰り返し、５０％伸長した際の伸長力（ｃＮ）と、５０％回復した際の回復力（ｃＮ）の平均により算出される。ここで試験片は、１６０ｍｍ×２５ｍｍであって、試験片は、上部つかみ２５ｍｍ、下部つかみ３５ｍｍおよびつかみ間隔１００ｍｍで、定速伸長形引張試験機に取り付けられる。
【００２８】
また上バスト被覆部３の素材として、左右方向の伸び率は、２００％から２５０％程度で、上下方向の伸び率は、５０％から７０％程度の素材が好まれる。この伸び率は、伸長回復性で用いた試験片と同様の試験片を、伸長回復性の試験と同様に定速伸長形引張試験機に取り付け、試験片を左右方向および上下方向にそれぞれ加重１４．７Ｎをかけて測定されたものである。
【００２９】
上バスト被覆部３の上縁３１は、バストトップＴ位置より上方に形成される。図２に示すように、上バスト被覆部３の上縁３１と正中線とが交わる位置は、バストトップＴと正中線が交わる位置よりも上方に設けられる。また、胸骨柄Ｂ（図２参照）の中心と、バストトップＴと正中線が交わる位置とを結ぶ渡りの長さで、上から７５％程度の位置に設けられる。換言すると、上バスト被覆部３の上縁３１は、バストトップＴと、バストのふくらみの上端の中間位置近傍に、設けられる。これにより、上バスト被覆部３は、バストの揺れやバストの皮膚の伸びに、効率的に追従することができる。
【００３０】
上バスト被覆部３の上縁３１および左右縁３３は、上バスト被覆部３が伸縮する動きを阻害することなく、上バスト被覆部３の本体部分の伸縮性に追従するように、伸縮性を有するテープ等により端始末がなされる。
【００３１】
上バスト被覆部３において、上バスト被覆部３の左右方向の伸縮率は、上下方向の伸縮率に比べて高いことが好ましい。着用時の上バスト被覆部３の上縁３１の長さは、図３に示す平置き時の上バスト被覆部３の上縁３１の長さと比べて、１．２〜１．８倍程度に伸びるように形成される。この伸び率は、着用者の体の幅のサイズやバストのボリュームによって異なる。上バスト被覆部３は、左右方向に高い伸縮性を有することにより、着用者の様々な幅やボリュームに対応し、カップ部２により造形されたバストを維持することができる。このような上バスト被覆部３の左右方向の大きな伸縮性と、肩ストラップ部４の支持により、上バスト被覆部３は、様々な体型の着用者にフィットすることができる。さらに、上バスト被覆部３は、動きによりバストのボリュームが移動しても、素材の伸縮により、バストにフィットしながら体の中心に向かう方向に押し、バストの揺れを吸収して軽減し、着くずれを防ぐことを可能にする。
【００３２】
図４を参照して、上バスト被覆部３の着用状態を説明する。
【００３３】
図４（ａ）は、カップ部２および上バスト被覆部３を、右側から見た図である。図４（ｂ）は、上バスト被覆部３を、右側から見た図であって、図４（ａ）からカップ部２および端始末のテープを取り除いた状態を示す。図４（ｂ）において、上バスト被覆部３の裏側は、表側よりも薄いハッチを付している。図４（ｃ）は、図２と同様に、上バスト被覆部３の着用状態を正面から見た図であって、図４（ａ）および（ｂ）に対応する。また図４においてＬ１は、上バスト被覆部３の上端位置を示し、Ｌ２は、バストトップ位置を示し、Ｌ３は、上バスト被覆部３の下端を示す。
【００３４】
図４（ｃ）の上バスト被覆部３は、説明のために、バストのふくらみにあわせて、正方形の目で構成されるメッシュが伸縮された状態の正面図で、図示される。図４（ｃ）に示すように、上バスト被覆部３の中心近辺は、正方形の目で構成されるメッシュ状であるのに対し、左右端近辺では、上下方向に目が詰まった状態となる。上バスト被覆部３の中心近辺は、バストトップＴ近辺を外側から背面方向にほぼ水平に押すので、正方形の目で構成されるメッシュ状態が維持されやすい。これに対し上バスト被覆部３の左右端近辺は、図１および図４（ａ）に示すように、バストのふくらみの上端近辺の背面方向に向かうカーブ（前方斜め下方から後方斜め上方に向かうカーブ）に沿って配設される。従って、上バスト被覆部３を正面から見ると、図４（ｃ）に示すように、上バスト被覆部３の左右端は、背面方向に向かうカーブに沿って、目がつまった様に観察される。
【００３５】
図１、図２および図４（ｃ）に示すように、上バスト被覆部３の上縁３１は、正面から観察すると、バストトップＴを結ぶ線と正中線とが交わる点よりも上位置から、左右のバストの上側のふくらみを経由して、左右の脇下近傍のふくらみのない部分へ、緩やかな凹形状のカーブを描くように配設される。また図１、図２および図４（ａ）に示すように、上縁３１は、片側から観察すると、バストトップＴを結ぶ線と正中線とが交わる点よりも上位置から、背面方向にカーブして配設される。
【００３６】
また、図１、図２および図４（ｃ）に示すように、上バスト被覆部３の下縁３２は、正面から観察すると、バストトップＴを結ぶ線Ｌ２と正中線が交わる点よりも下位置から、左右のバストの内側ないし上側のふくらみを経由して、左右の脇下近傍のふくらみのない部分へ、下方向に凸形状の大きなカーブを描くように配設される。また図１、図２および図４（ｂ）に示すように、下縁３２は、片側から観察すると、バストトップＴを結ぶ線Ｌ２と正中線が交わる点よりも下位置から、バストトップＴを結ぶ線Ｌ２近傍のふくらみまで前方向へ、さらに、脇下近辺まで背面方向に、大きくカーブして配設される。
【００３７】
図５を参照して、上バスト被覆部３の型紙３Ｃと着用状態を比較して説明する。図５（ａ）は、上バスト被覆部３の生地を裁断するための型紙３Ｃを示し、図５（ｂ）は、上バスト被覆部３の着用状態を正面から観察した図を示す。図５（ａ）の型紙３Ｃは、正方形の眼で構成されるメッシュのハッチが付されて図示され、図５（ｂ）の上バスト被覆部３は、説明のために、バストのふくらみにあわせて、図５（ａ）に図示するメッシュが伸縮された状態の正面図で、図示される。
【００３８】
なお、上バスト被覆部３は、バストのカーブに沿ってフィットするので、着用状態の上縁３１および下縁３２の渡り長さは、図４に示すように、着用状態を正面から観察した場合の長さより長い。また、図５に示す型紙３Ｃおよび着用状態において、ほぼ同じ幅を持つように開示されているが、これに限るものではない。上バスト被覆部３は、左右方向の高い伸縮性により着用者サイズに適合するので、図５（ｂ）の着用状態の幅は、着用者の体型に依存する。
【００３９】
型紙３Ｃは、全体として略Ｖ字形状を有する。上縁３１Ｃは、急な凹曲線で形成され、下縁３２Ｃは、傾斜の急なＶ字で形成される。上バスト被覆部３は、左右方向に高い伸縮性を有する伸縮素材で形成される。従って、この型紙３Ｃで裁断された上バスト被覆部３は、着用者が着用すると、図５（ｂ）に示すように、左右方向に伸長し、上縁３１は、なだらかな凹曲線状に遷移し、下縁３２は、傾斜の緩やかＶ字に遷移して、バストにフィットする。
【００４０】
上バスト被覆部３の素材は、高い伸縮性を有するので、着用時にバストにフィットするように、型紙３Ｃは、着用時の上バスト被覆部３のサイズよりも小さいサイズを有する。これにより、上バスト被覆部３が、バストのボリュームに対して大きすぎる状態で形成されバストから浮いてしまう状態を避け、上バスト被覆部３の伸縮性によりバストにフィットし、また、様々なサイズの着用者に快適な着用感を与えることができる。
【００４１】
型紙３Ｃにおいて、カップ部２の上縁２１と接続する下縁３２の長さは、カップ部２の上縁２１の長さよりも短く、例えば、０．９０〜０．９８倍程度の長さである。上バスト被覆部３の下縁３２は、カップ部２の上縁２１と縫着する際、上バスト被覆部３の下縁３２と、カップ部２の上縁２１の長さが一致するように、生地の伸縮性を利用して伸ばしながら縫着される。この結果、図３に示すように平置き時には、上バスト被覆部３に弛みが生じるものの、ブラジャー１を着用すると、図１に示すように上バスト被覆部３は、伸縮してバストのボリュームを受け止め、バストの揺れに追従することができる。さらに、上バスト被覆部３は、カップ部２の上縁２１よりも上側のバストのカーブに沿った立体的な形状を形成しやすくする。
【００４２】
（バック部）
次にバック部５を説明する。本発明の実施の形態に係るブラジャー１のバック部５は、バック下部５１と、バック上部５２を備える。
【００４３】
バック下部５１は、着用者に押圧して装着可能で、緊締力を有する部材で形成される。バック下部５１は、例えば、幅広ゴムであって、幅２センチから４センチ程度の幅を有する。バック下部５１がパワーの強い部材で形成されることから、着用者の動きによって着くずれしたり、ずれたりすることなく、着用者の胴体に、安定して配設される。バック下部５１の肌側に、糸刺繍による凹凸などにより、滑り止め加工がなされても良い。
【００４４】
バック上部５２は、バック下部５１の上縁に接続し、着用者の動きに追従しやすい伸縮部材で形成される。バック上部５２は、例えば、上バスト被覆部３と同様の素材で形成される。バック上部５２の上縁５３は、バック上部５２が伸縮する動きを阻害することないように、伸縮性を有するテープ等により端始末がなされる。
【００４５】
バック部５の上縁５３は、カップ部２の左右端２２に対して、５０〜７０％程度の高さ位置になるように、形成される。本発明の実施の形態に係るカップ部２は、バストをしっかりと収め、脇下からバック部５の間に開口を設けることにより、着くずれのしにくさを実現する。
【００４６】
このように本発明の実施の形態に係るブラジャー１は、左右のカップ部２の上縁を接続する上バスト被覆部３が、バストの上側を被覆する。上バスト被覆部３が高い伸縮性を有することにより、着用時に上バスト被覆部３が左右方向に伸長して着用者の肌に当接し、着用者の動きに追従して、バストの上側の揺れを抑えることを可能とする。また、上バスト被覆部３は、高い伸縮性を有するので、肌への馴染みがよく、着用者の動きを阻害することなく、心地よい着用感を与える。
【００４７】
さらにバック部５が、バック下部５１で着用者に押圧するホールド力を有し、バック上部５２が着用者の動きに追従して伸縮するので、バック部５全体として、動きやすさと、動きによる着くずれにくさを実現する。
【００４８】
（変形例）
図６および図７を参照して、変形例に係るブラジャー１ａおよび１ｂを説明する。変形例に係るブラジャー１ａおよび１ｂは、本発明の実施の形態に係るブラジャー１と比べて、上バスト被覆部３の上縁位置が異なる。
【００４９】
図６は、第１の変形例に係るブラジャー１ａを示す。ブラジャー１ａの上バスト被覆部３ａの上縁３１ａは、図２に示す上縁３１と比べて、低い位置に設けられる。図６の上縁３１ａは、バストトップＴを結ぶ線と、正中線の交点を通るように設けられる。カップ部２の上側に隣接するバストは、比較的ボリュームが大きく、揺れが生じやすいので、上バスト被覆部３ａは、この揺れを効果的に抑え、着くずれを防止することができる。第１の変形例に係るブラジャー１ａは、本発明の実施の形態に係るブラジャー１と比べて、着用者に与える窮屈感を軽減することができる。
【００５０】
図７は、第２の変形例に係るブラジャー１ｂを示す。ブラジャー１ｂの上バスト被覆部３ｂの上縁３１ｂは、図２に示す上縁３１と比べて、高い位置に設けられる。図７の上縁３１ｂは、バストのふくらみの上縁近辺を通るように設けられる。これにより、上バスト被覆部３ｂは、バスト全体を覆いフィットすることができるので、バスト全体の揺れを抑え、着くずれを防止することができる。第２の変形例に係るブラジャー１ｂは、本発明の実施の形態に係るブラジャー１と比べて、バストの揺れをさらに抑えることができる。
【００５１】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００５２】
例えば、本発明の実施の形態において、カップ部を有する衣類は、ブラジャーの場合を説明したが、カップ部を有するキャミソール等の下着であっても良い。
【００５３】
本発明はここでは記載していない様々な実施の形態等を含むことは勿論である。従って、本発明の技術的範囲は上記の説明から妥当な請求の範囲に係る発明特定事項によってのみ定められるものである。
【符号の説明】
【００５４】
１  ブラジャー
２  カップ部
３  上バスト被覆部
４  肩ストラップ部
５  バック部
２１  カップ部の上縁
３１  上バスト被覆部の上縁
３２  上バスト被覆部の下縁
３３  上バスト被覆部の左右縁
４１  肩ストラップ本体部
４２  肩ストラップ上接続部
４３  肩ストラップ下接続部
４４  肩ストラップ連結部
５１  バック下部
５２  バック上部
５３  バック上部の上縁
【図１】
0006508218.tif 000002
【図２】
0006508218.tif 000003
【図３】
0006508218.tif 000004
【図４】
0006508218.tif 000005
【図５】
0006508218.tif 000006
【図６】
0006508218.tif 000007
【図７】
0006508218.tif 000008